【手続補正書】
【提出日】平成19年4月23日(2007.4.23)
【手続補正１】
【補正対象書類名】特許請求の範囲
【補正対象項目名】全文
【補正方法】変更
【補正の内容】
【特許請求の範囲】
【請求項１】
支持枠体に支持され遊技者が対面して遊技を行う遊技面を備えた遊技台と、
該遊技台に対して開閉可能に設けられ、前記遊技面の前方に配置され、発光部材を備えた装飾部材と透明板を有すると共に、パチンコ球を貯留するパチンコ球受け皿が一体的に形成される扉枠と、
前記パチンコ球受け皿の下側に設けられた下側パチンコ球受け皿と
を備えたパチンコ遊技機であって、
前記遊技台の遊技面よりも下方にパチンコ球を遊技面に向かって発射させる発射機構を配置し、
前記発射機構によって発射されたパチンコ球に基づいて前記遊技面における所定の遊技動作を実行させ、該遊技動作の結果に応じて前記遊技台の裏面側に設けられた払出装置でパチンコ球を払い出すようにし、
前記遊技台には、
前記払出装置で払い出されたパチンコ球を前記遊技台の表面側に導出可能な導出口と、
前記払出装置で払い出されたパチンコ球を前記導出口の下方を流下させて下流側に導く主経路と、
前記主経路とは別に設けられ、前記払出装置で払い出されたパチンコ球を流下させ下流側に導くバイパス経路と、
前記遊技台の前面側に配され、前記主経路を流下したパチンコ球と前記バイパス経路を流下したパチンコ球とを前記下側パチンコ球受け皿に導く下側導出経路と
を設け、
前記扉枠には前記遊技台の導出口に対応するパチンコ球導出経路が設けられ、
該パチンコ球導出経路は
前記扉枠の閉鎖時には前記遊技台の導出口と連通され、前記前記払出装置で払い出されたパチンコ球が前記パチンコ球導出経路から前記パチンコ球受け皿に導かれるようにし、
前記扉枠の開放時には前記遊技台の導出口と離間され、前記払出装置で払い出されたパチンコ球が前記主経路から前記下側導出経路を経て前記下側パチンコ球受け皿に導かれるようにし、
前記扉枠の閉鎖時に前記パチンコ球導出経路に導かれるパチンコ球が流下不能の場合は、前記払出装置で払い出されたパチンコ球が前記バイパス経路から前記下側導出経路を経て前記下側パチンコ球受け皿に導かれるようにした
ことを特徴とするパチンコ遊技機。
【請求項２】
支持枠体に支持され遊技者が対面して遊技を行う遊技面を備えた遊技台と、
該遊技台に対して開閉可能に設けられ、前記遊技面の前方に配置され、発光部材を備えた装飾部材と透明板を有する扉枠と、
該扉枠の下方に、前記遊技台に対して開閉可能に設けられ、パチンコ球を貯留するパチンコ球受け皿が形成された受皿扉枠と
前記パチンコ球受け皿の下側に設けられた下側パチンコ球受け皿と
を備えたパチンコ遊技機であって、
前記遊技台の遊技面よりも下方にパチンコ球を遊技面に向かって発射させる発射機構を配置し、
前記発射機構によって発射されたパチンコ球に基づいて前記遊技面における所定の遊技動作を実行させ、該遊技動作の結果に応じて前記遊技台の裏面側に設けられた払出装置でパチンコ球を払い出すようにし、
前記遊技台には、
前記払出装置で払い出されたパチンコ球を前記遊技台の表面側に導出可能な導出口と、
前記払出装置で払い出されたパチンコ球を前記導出口の下方を流下させて下流側に導く主経路と、
前記主経路とは別に設けられ、前記払出装置で払い出されたパチンコ球を流下させ下流側に導くバイパス経路と、
前記遊技台の前面側に配され、前記主経路を流下したパチンコ球と前記バイパス経路を流下したパチンコ球とを前記下側パチンコ球受け皿に導く下側導出経路と
を設け、
前記受皿扉枠には前記遊技台の導出口に対応するパチンコ球導出経路が設けられ、
該パチンコ球導出経路は、
前記受皿扉枠の閉鎖時には前記遊技台の導出口と連通され、前記払出装置で払い出されたパチンコ球が前記パチンコ球導出経路から前記パチンコ球受け皿に導かれるようにし、
前記受皿扉枠の開放時には前記遊技台の導出口と離間され、前記払出装置で払い出されたパチンコ球が前記主経路から前記下側導出経路を経て前記下側パチンコ球受け皿に導かれるようにし、
前記受皿扉枠の閉鎖時に前記パチンコ球導出経路に導かれるパチンコ球が流下不能の場合は、前記払出装置で払い出されたパチンコ球は前記バイパス経路から前記下側導出経路を経て前記下側パチンコ球受け皿に導かれるようにした
ことを特徴とするパチンコ遊技機。
【手続補正２】
【補正対象書類名】明細書
【補正対象項目名】０００５
【補正方法】変更
【補正の内容】
【０００５】
上記の目的を達成するために、請求項１に記載の発明では、支持枠体に支持され遊技者が対面して遊技を行う遊技面を備えた遊技台と、該遊技台に対して開閉可能に設けられ、前記遊技面の前方に配置され、発光部材を備えた装飾部材と透明板を有すると共に、パチンコ球を貯留するパチンコ球受け皿が一体的に形成される扉枠と、前記パチンコ球受け皿の下側に設けられた下側パチンコ球受け皿とを備えたパチンコ遊技機であって、前記遊技台の遊技面よりも下方にパチンコ球を遊技面に向かって発射させる発射機構を配置し、前記発射機構によって発射されたパチンコ球に基づいて前記遊技面における所定の遊技動作を実行させ、該遊技動作の結果に応じて前記遊技台の裏面側に設けられた払出装置でパチンコ球を払い出すようにし、前記遊技台には、前記払出装置で払い出されたパチンコ球を前記遊技台の表面側に導出可能な導出口と、前記払出装置で払い出されたパチンコ球を前記導出口の下方を流下させて下流側に導く主経路と、前記主経路とは別に設けられ、前記払出装置で払い出されたパチンコ球を流下させ下流側に導くバイパス経路と、前記遊技台の前面側に配され、前記主経路を流下したパチンコ球と前記バイパス経路を流下したパチンコ球とを前記下側パチンコ球受け皿に導く下側導出経路とを設け、前記扉枠には前記遊技台の導出口に対応するパチンコ球導出経路が設けられ、該パチンコ球導出経路は前記扉枠の閉鎖時には前記遊技台の導出口と連通され、前記前記払出装置で払い出されたパチンコ球が前記パチンコ球導出経路から前記パチンコ球受け皿に導かれるようにし、前記扉枠の開放時には前記遊技台の導出口と離間され、前記払出装置で払い出されたパチンコ球が前記主経路から前記下側導出経路を経て前記下側パチンコ球受け皿に導かれるようにし、前記扉枠の閉鎖時に前記パチンコ球導出経路に導かれるパチンコ球が流下不能の場合は、前記払出装置で払い出されたパチンコ球が前記バイパス経路から前記下側導出経路を経て前記下側パチンコ球受け皿に導かれるようにしたことをその要旨とする。
請求項２に記載の発明では、支持枠体に支持され遊技者が対面して遊技を行う遊技面を備えた遊技台と、該遊技台に対して開閉可能に設けられ、前記遊技面の前方に配置され、発光部材を備えた装飾部材と透明板を有する扉枠と、該扉枠の下方に、前記遊技台に対して開閉可能に設けられ、パチンコ球を貯留するパチンコ球受け皿が形成された受皿扉枠と前記パチンコ球受け皿の下側に設けられた下側パチンコ球受け皿とを備えたパチンコ遊技機であって、前記遊技台の遊技面よりも下方にパチンコ球を遊技面に向かって発射させる発射機構を配置し、前記発射機構によって発射されたパチンコ球に基づいて前記遊技面における所定の遊技動作を実行させ、該遊技動作の結果に応じて前記遊技台の裏面側に設けられた払出装置でパチンコ球を払い出すようにし、前記遊技台には、前記払出装置で払い出されたパチンコ球を前記遊技台の表面側に導出可能な導出口と、前記払出装置で払い出されたパチンコ球を前記導出口の下方を流下させて下流側に導く主経路と、前記主経路とは別に設けられ、前記払出装置で払い出されたパチンコ球を流下させ下流側に導くバイパス経路と、前記遊技台の前面側に配され、前記主経路を流下したパチンコ球と前記バイパス経路を流下したパチンコ球とを前記下側パチンコ球受け皿に導く下側導出経路とを設け、前記受皿扉枠には前記遊技台の導出口に対応するパチンコ球導出経路が設けられ、該パチンコ球導出経路は、前記受皿扉枠の閉鎖時には前記遊技台の導出口と連通され、前記払出装置で払い出されたパチンコ球が前記パチンコ球導出経路から前記パチンコ球受け皿に導かれるようにし、前記受皿扉枠の開放時には前記遊技台の導出口と離間され、前記払出装置で払い出されたパチンコ球が前記主経路から前記下側導出経路を経て前記下側パチンコ球受け皿に導かれるようにし、前記受皿扉枠の閉鎖時に前記パチンコ球導出経路に導かれるパチンコ球が流下不能の場合は、前記払出装置で払い出されたパチンコ球は前記バイパス経路から前記下側導出経路を経て前記下側パチンコ球受け皿に導かれるようにしたことをその要旨とする。
【手続補正３】
【補正対象書類名】明細書
【補正対象項目名】０００７
【補正方法】変更
【補正の内容】
【０００７】
上記発明では、発射機構によるパチンコ球の発射位置を前記扉枠の最下端よりも更に下方に配置させるようにするようにし、更に発射待機球支持手段を設けて発射待機球の支持をさせるようにしたため、発射機構の配置位置が従来のように限定されることなく例えば遊技面を拡大させるというような設計変更にも対応できるようになった。